(57)【要約】【課題】  電気の供給停止の際に、遠隔送電制御機器の遠隔操作機能を付することで、簡便かつ正確に供給停止施工業務を行うことができるハンディターミナルを提供すること。【解決手段】  電力量計に取り付けた遠隔送電制御機器を遠隔操作して、顧客への電力の供給停止または停止解除業務に使用されるハンディターミナル１において、遠隔操作部８２により、顧客の電力量計への遠隔送電制御機器の設置登録を、電力会社が設置、管理するコンピュータシステムに対して行うと共に、遠隔送電制御機器を遠隔操作し、報告処理部８１により、顧客への電力の供給停止または停止解除業務の結果を、電力会社が設置、管理するコンピュータシステムに対して登録する。【選択図】  図２
2017077056.tif 000002
【特許請求の範囲】
【請求項１】
電力量計に取り付けた遠隔送電制御機器を遠隔操作して、顧客への電力の供給停止または停止解除業務に使用されるハンディターミナルであって、
顧客の電力量計に設置された遠隔送電制御機器の設置登録を遠隔操作する遠隔操作部と、
顧客への電力の供給停止または停止解除業務の結果を、電力会社が設置、管理するコンピュータシステムに対して登録する報告処理部と、
を有することを特徴とするハンディターミナル。
【請求項２】
前記遠隔操作部は、顧客の電力量計への遠隔送電制御機器の設置登録を、電力会社が設置、管理するコンピュータシステムに対して行うと共に、前記遠隔送電制御機器を遠隔操作することを特徴とする請求項１に記載のハンディターミナル。
【請求項３】
前記コンピュータシステムは、
前記ハンディターミナルの遠隔操作部で入力された遠隔送電制御機器の設置情報を、付設のデータベースで管理するホスト計算機と、
前記ハンディターミナルの結果登録処理部で入力された供給停止または停止解除業務結果情報を、付設のデータベースで管理する遠隔送電管理システムと、
を有することを特徴とする請求項２に記載のハンディターミナル。
【請求項４】
前記遠隔操作部は、遠隔送電制御機器の設置情報を前記遠隔送電管理サーバに対して送信する前に、入力内容を確認する機能を有し、
前記結果登録処理部は、供給停止または停止解除業務結果情報を前記コンピュータシステムに対して送信する前に、入力内容を確認する機能を有することを特徴とする請求項２または請求項３の何れか１項に記載のハンディターミナル。
【発明の詳細な説明】
【技術分野】
【０００１】
この発明は、ハンディターミナルに関し、特に、電気の供給停止の際に、遠隔送電制御機器の遠隔操作機能を付することで、簡便かつ正確に供給停止施工業務を行うことができるハンディターミナルに関する。
【背景技術】
【０００２】
電力事業における電力供給管理支援技術として、例えば、特許文献１には、電気料金の集金に関わる集金端末（集金ハンディターミナル）、集金システムおよび集金方法の手法が提案されている。集金員が集金ハンディターミナルを携行して需要家宅を訪れ、集金ハンディターミナルを用いて集金業務を行うものである。
【０００３】
他方で、電力会社は、顧客が一定の期限までに、電気料金を支払わなかった場合には、事前に供給停止の通知をした上で、電力の供給を停止している。具体的には、実際に供給停止をする場合は、集金員が現地へ訪問し、遠隔操作により電力の供給停止・再接続ができる遠隔送電制御機器を、顧客の電力量計に取り付けて、これを遠隔操作する作業を行っている。ここで、顧客の電力量計に遠隔送電制御機器を設置して、顧客への電力を供給停止または停止解除する業務に関わる公知技術としては、例えば、特許文献２に開示された遠隔送電制御装置および遠隔送電制御システム並びに遠隔送電制御方法がある。
【０００４】
従来、この供給停止施工業務を、次のような作業手順で行っている。
（１）遠隔送電制御機器の設置作業：供給停止施工として、顧客の電力量計に遠隔送電制御機器を取り付ける。
（２）遠隔送電制御機器の情報登録作業：携帯電話の通信機能を利用して、遠隔送電制御機器の操作と、取り付けた遠隔送電制御機器の情報を、営業所の遠隔送電制御機器操作用端末に登録する。この登録作業は、携帯電話会社のネットワークを介して、電力会社の遠隔送電管理サーバに対して行う。
（３）供給停止施工結果の報告作業：集金用のハンディターミナルから、施工状況の報告作業を行う。この報告作業は、顧客の契約番号により識別された報告画面に、遠隔送電制御機器の識別番号を入力して、電力会社のコンピュータシステムに送信し、登録をすることにより行われる。なお、その登録内容は、営業オンラインを通じて各営業所の営業オンライン端末で閲覧が可能となる。
【先行技術文献】
【特許文献】
【０００５】
【特許文献１】特開２００９−２５８７９２号公報
【特許文献２】特開２００８−１７５９７号公報
【発明の概要】
【発明が解決しようとする課題】
【０００６】
上述したように、従来の作業手順では、現場において、携帯電話と集金用ハンディターミナルの２種の携帯情報端末を別個に操作することにより行っている。したがって、登録作業や報告作業において、入力ミスや入力漏れが発生する危険性が高い。また、入力ミスや入力漏れが発生した場合には、供給停止解除をするために行う遠隔送電制御機器の再接続操作を、遠隔で行うことができず、作業員が直接現地に赴いて作業をせざるを得ないため、供給再開までに時間をロスすることとなり、顧客の不満の原因となっていた。
【０００７】
また、２台の端末の操作や入力の作業が作業員の負担となっており、特に施工する件数が多数ある場合には件数を調整せざるを得ない事態が発生し、適正な供給停止施工業務の妨げとなっていた。
【０００８】
そこでこの発明は、電気の供給停止の際に、遠隔送電制御機器の遠隔操作機能を付することで、簡便かつ正確に供給停止施工業務を行うことができるハンディターミナルを提供することを目的とする。
【課題を解決するための手段】
【０００９】
上記課題を解決するために、請求項１の発明は、電力量計に取り付けた遠隔送電制御機器を遠隔操作して、顧客への電力の供給停止または停止解除業務に使用されるハンディターミナルであって、顧客の電力量計に設置された遠隔送電制御機器の設置登録を遠隔操作する遠隔操作部と、顧客への電力の供給停止または停止解除業務の結果を、電力会社が設置、管理するコンピュータシステムに対して登録する報告処理部と、を有することを特徴とする。
【００１０】
請求項２の発明は、請求項１に記載のハンディターミナルにおいて、前記遠隔操作部は、顧客の電力量計への遠隔送電制御機器の設置登録を、電力会社が設置、管理するコンピュータシステムに対して行うと共に、前記遠隔送電制御機器を遠隔操作することを特徴とする。
【００１１】
請求項３の発明は、請求項２に記載のハンディターミナルにおいて、前記コンピュータシステムは、前記ハンディターミナルの遠隔操作部で入力された遠隔送電制御機器の設置情報を、付設のデータベースで管理するホスト計算機と、前記ハンディターミナルの結果登録処理部で入力された供給停止または停止解除業務結果情報を、付設のデータベースで管理する遠隔送電管理システムと、を有することを特徴とする。
【００１２】
請求項４の発明は、請求項２または請求項３の何れか１項に記載のハンディターミナルにおいて、前記遠隔操作部は、遠隔送電制御機器の設置情報を前記遠隔送電管理サーバに対して送信する前に、入力内容を確認する機能を有し、前記結果登録処理部は、供給停止または停止解除業務結果情報を前記コンピュータシステムに対して送信する前に、入力内容を確認する機能を有することを特徴とすることを特徴とする。
【発明の効果】
【００１３】
請求項１および請求項２の発明によれば、従来、供給停止施工の結果登録をハンディターミナルで行い、遠隔送電制御機器の情報登録を携帯電話で行って、２台（２種）の携帯情報端末が必要であったのに対して、本発明では、１台（１種）のハンディターミナルで、供給停止施工の結果登録および遠隔送電制御機器の情報登録を行うことが可能である。これにより、遠隔送電制御機器の登録や、施工状況の報告において、入力ミスや入力漏れを極力防ぐことができる。また、遠隔操作部および報告処理部の入力操作で重複する情報については１度の入力操作のみで済むため、作業現場での入力や機器の操作等の作業内容が減ることにより、作業時間を短縮することが可能である。またその結果として、特に施工する件数が多数ある場合に、件数を調整する必要が無くなるとともに、作業員の負担軽減による、作業の安全性の向上を図ることが可能となる。さらに、入力ミスや入力漏れが防止可能であることから、供給停止の解除を遠隔操作で行う場合におけるトラブル発生を抑えることができ、早期の供給再開が可能となる。
【００１４】
請求項３の発明によれば、従来、電力会社のコンピュータシステムと、遠隔操作管理システム（事業所総合ＯＡサーバ）との独立した２系統の情報管理システムが必要であったのに対して、本発明では、１系統のコンピュータシステムに統合することが可能である。これにより、情報管理システムの簡素化が図られ、管理に必要な作業や費用を削減できると共に、ホスト計算機に付設のデータベースと、遠隔送電管理システムに付設のデータベースとの間の登録データの食い違いを極力減らすことが可能である。
【００１５】
請求項４の発明によれば、コンピュータシステムに対して送信する前に、遠隔操作部によって遠隔送電制御機器の設置情報を、結果登録処理部によって供給停止または停止解除業務結果情報を、それぞれ確認するので、入力ミスや入力漏れを極力防ぐことができる。
【図面の簡単な説明】
【００１６】
【図１】の発明の実施の形態に係るハンディターミナル１の外観を例示する斜視図である。
【図２】ハンディターミナル２の機能の概略を例示する構成図である。
【図３】報告処理部８１起動時の専用画面である施工入力画面３１を例示する説明図である。
【図４】遠隔操作部８２起動時の専用画面である遠隔制御機器操作画面３２を例示する説明図である。
【発明を実施するための形態】
【００１７】
以下、この発明を図示の実施の形態に基づいて説明する。この発明の実施の形態に係るハンディターミナル１は、電力供給管理支援システムにおける携帯情報端末として機能するものである。電力供給管理支援システムには、コンピュータシステムとデータ送受信可能なハンディターミナル１と、電力会社が設置、管理するコンピュータシステムと、を備えている。
【００１８】
コンピュータシステムは、電力会社により設置、管理されているサーバとネットワークであり、モバイル専用サーバ、ホスト電算機、事業所総合ＯＡサーバから構成されている。先ず、モバイル専用サーバは、無線通信を行うためのサーバであり、ハンディターミナル１とネットワークを介して接続されている。
【００１９】
次に、ホスト電算は、供給停止施工結果登録が行われるサーバであり、モバイル専用サーバとは、電力会社のネットワークを介して接続されている。また、ホスト電算機にはデータベースが付設されており、該データベースに、各顧客の情報（契約番号、住所、供給方式、直近の指示数、所定の期間の電力の使用実績と電気料金、所定の期間の電気料金の支払状況、設置されている電力量計の識別番号等）が記憶・管理されている。また、データベース３２ｂには、施工者コード、各ハンディターミナル２に割り当てられた識別番号が記憶・管理されている。すなわち、ホスト電算機は、ハンディターミナル１の識別番号と施工者コードをもとに、施工者と、使用されているハンディターミナル２を認識する。さらに、ホスト電算機のデータベースには、供給停止施工結果が登録され、記憶・管理される。
【００２０】
次に、事業所総合ＯＡサーバは、遠隔送電制御機器の情報が登録されるサーバであり、ホスト電算機とは、電力会社のネットワークを介して接続されている。また、事業所総合ＯＡサーバには、ホスト電算機と同様にデータベースが付設されており、該データベースに、各顧客の情報（契約番号、住所、供給方式、直近の指示数、所定の期間の電力の使用実績と電気料金、所定の期間の電気料金の支払状況、設置されている電力量計の識別番号等）、施工者コード、各ハンディターミナル１に割り当てられた識別番号が記憶・管理されている。また、このデータベースには、遠隔送電制御機器の端末番号が記憶・管理されている。さらに、事業所総合ＯＡサーバのデータベースには、遠隔送電制御機器の情報が登録され、記憶・管理される。
【００２１】
他方で、顧客の電力量計に、遠隔送電制御機器が設置されている。電力量計は、顧客における使用電力を計量する計器であり、従来のアナログ式誘導型電力量計の他、通信や情報処理機能を有するスマートメータがこれに含まれる。また、遠隔送電制御機器は、電極の供給停止業務において電力量計に設置され、遠隔操作により電力の供給を停止・再開するための機器である。
【００２２】
次に、図１は、この発明の実施の形態に係るハンディターミナル１の外観を例示する斜視図である。また図２は、ハンディターミナル１の機能の概略を例示する構成図である。
【００２３】
図１において、ハンディターミナル１は、外装部２、表示モニタ３、操作キー４、光インタフェース部５を備えている。
【００２４】
先ず、外装部２はプラスチック製の筐体であり、片手で把持できる程度の大きさに設定されており、ハンディターミナル１の他の部品を内外に備えている。
【００２５】
表示モニタ３は、液晶画面であり、操作キー４からの操作の他に、タッチパネルとして、タッチペンを用いての操作も可能である。
【００２６】
操作キー４は、プラスチックまたはゴム製のボタンであり、これを操作して、後述するハンディターミナル１の記憶部７や処理部８を作動させることで、ハンディターミナル１を動作させる。
【００２７】
また、光インタフェース部５は、後述する通信部６と外部の通信機器の間で、光通信を行うためのインタフェースである。ここで、光通信は、赤外線により行われる。
【００２８】
次に、図２に示すように、ハンディターミナル１は、上述の表示モニタ３と操作キー４の他に、通信部６、記憶部７および処理部８を備えている。
【００２９】
先ず、通信部６は、外部の通信機器と通信を行い、データの送受信を行うための機構であり、無線ＬＡＮや、赤外線により通信を行う。この実施の形態では、通信部６は、特に遠隔送電制御機器およびコンピュータシステムと通信可能に接続されており、後述する遠隔操作部８２と報告処理部８１を実行した際に、入力、選択、または画面表示された情報を、コンピュータシステムに送信する。
【００３０】
次に、記憶部７は、ＲＡＭ（Ｒａｎｄｏｍ  Ａｃｃｅｓｓ  Ｍｅｍｏｒｙ）やフラッシュＲＯＭ（Ｒｅａｄ  Ｏｎｌｙ  Ｍｅｍｏｒｙ）等で構成されている。記憶部７には、顧客情報（住所、供給方式、直近の指示数等）、ハンディターミナル２のパスワード、施工者コード等の予め登録されているデータ情報の他に、後述する処理部８上で実行される遠隔操作部８２、結果登録処理部８１等の機能プログラムが記憶されている。また、記憶部７には、操作キー４や表示モニタ３の入力手段を介して、ハンディターミナル１に入力された情報、例えば、顧客の契約番号、電力会社の施工作業者に割り当てられた施工者コード、ハンディターミナル２に割り当てられたパスワード、送電制御機器の端末番号、電力量計の識別番号などのデータ情報が記憶される。
【００３１】
次に、処理部８は、ＣＰＵ（Ｃｅｎｔｒａｌ  Ｐｒｏｃｅｓｓｉｎｇ  Ｕｎｉｔ）等のプロセッサで具現され、操作キー４や表示モニタ３等と連携して、記憶部７に記憶された遠隔操作部８２、結果登録処理部８１や、その他の機能プログラムを実行する。すなわち、処理部８には、遠隔操作部８２および結果登録処理部８１を備えている。
【００３２】
遠隔操作部８２は、コンピュータシステムに対して遠隔送電制御機器の設置登録作業をすると共に、遠隔送電制御機器を遠隔から操作する機能プログラムである。また、結果登録処理部８１は、電力会社が設置、管理するコンピュータシステムに、供給停止業務の報告をする機能プログラムである。
【００３３】
また、遠隔操作部８２、結果登録処理部８１を実行中に、入力されたハンディターミナル１のパスワードの正誤の判定、表示モニタ３への必要情報の記入ミスや記入漏れがあった場合の判定を行う。すなわち、遠隔操作部８２は、遠隔送電制御機器の設置情報をコンピュータシステムに対して送信する前に、入力内容を確認する機能を有し、結果登録処理部８１は、供給停止または停止解除業務結果情報をコンピュータシステムに対して送信する前に、入力内容を確認する機能を有している。
【００３４】
次に、報告処理部８１の起動時には、表示モニタ３の専用画面上で、所定の情報を入力し操作をするが、具体的な入力・操作について、図３の専用画面を参照して説明する。ここで、図３は報告処理部８１起動時の専用画面である施工入力画面３１を例示する説明図である。
【００３５】
図３に示すように、施工入力画面３１は、操作画面で、顧客の住所表示３１１、契約番号表示３１２、施工中止キー３１３、詳細情報表示キー３１４、電源処置切換キー３１５、施工状況切換キー３１６、配布状況切換キー３１７、無停電端子切換キー３１８、遠隔端末番号入力欄３１９、画面切換キー３２０、供給方式表示３２１、計器ＮＯ表示３２２、戻るキー３２３、領収書発行キー３２４、指示数入力キー３２５を有している。
【００３６】
契約番号表示３１２は、顧客１件あたりに割り当てられた固有の番号である。ハンディターミナル１のスタート画面（図示略）でこの番号を入力することで、施工入力画面３１が表示される。
【００３７】
施工入力画面３１には、顧客の固有の情報である、住所表示３１１、供給方式表示３２１、計器ＮＯ表示３２２が表示されている。これらは、予め、ハンディターミナル１の記憶部７に記憶されている情報が、スタート画面に契約番号を入力することで、自動的に表示される。
【００３８】
住所表示３１１は、施工対象となる顧客の住所である。また、供給方式表示３２１は、顧客に対する電力の供給方式を表示するものであり、単相２線式、単相３線式、３相３線式の何れかを意味する文字が表示される（図３では、単層２線式が選択されている）。また、計器ＮＯ表示３２２は顧客の電力量計の識別番号である。
【００３９】
また、施工中止キー３１３は、供給停止施工業務を中止する場合にクリックする。これにより、施工入力画面３１に入力した情報はリセットされ、画面がスタート画面に切り替わる。詳細情報キー３１４は、これをクリックすると、表示されている情報以外の、顧客に関する諸情報の詳細が表示される。
【００４０】
電源処置切換キー３１５、施工状況切換キー３１６、配布状況切換キー３１７、無停電端子切換キー３１８は、供給停止施工業務の報告内容となる情報を入力するためのものである。入力は、左右のキーをクリックしてメニューを切り換えて、選択をすることで行う。
【００４１】
先ず、電源処置切換キー３１５は、電源の処置方法を入力するためのものであり、電力量計を切断した場合には「計器切断」を、接続中である場合には「計器接続」を選択する。次に、施工状況切換キー３１６は、施工時に顧客が在宅であったかどうかを入力するためのものであり、「在宅施工」または「不在施工」を入力する。
【００４２】
また、配布状況切換キー３１７は、印刷部５から印刷される、供給停止に関する通知をどのようにして配布したかを入力するためのものであり、「ドアポスト」、「集合ポスト」、「手渡し」等から選択する。
【００４３】
無停電端子切換キー３１８は、無停電端子を設置したかどうかを選択するためのものであり「有」「無」の何れかから選択する。遠隔端末番号入力欄３１９には、設置した遠隔送電制御機器の機体番号を入力する。画面切換キー３２０は、施工入力画面３１から、遠隔制御機器操作画面３２へと切り換えるためのキーであり、施工入力画面３１で全ての項目の入力が終わった後に、クリック可能となる。また、これをクリックすることで、電力会社が設置、管理するコンピュータシステムに、供給停止業務の報告が実際に送信される。
【００４４】
また、戻るキー３２３は、直前の画面に戻り、入力をやり直すためのキーである。領収書発行キー３２４は、ハンディターミナル１を集金目的に使用する際に、印刷部５で領収書を発行するためのキーである。指示数入力キー３２５は、供給停止施工業務を行った時点での、顧客の電力量計の指示数を入力・記憶するための指示数入力画面（図示略）に切り換えるためのキーである。
【００４５】
次に、遠隔操作部８２の起動時には、表示モニタ３の専用画面上で、所定の情報を入力し操作をするが、具体的な入力・操作について、図４の専用画面を参照して説明する。ここで、図４は遠隔操作部８２起動時の専用画面である遠隔制御機器操作画面３２を例示する説明図である。
【００４６】
図４に示すように、遠隔制御機器操作画面３２は、施工者コード欄３２６、パスワード欄３２７、機器端末番号欄３２８、契約番号欄３２９、計器ＮＯ欄３３０、選択／選択解除切換キー３３１、投入／遮断切換キー３３２、状態問合キー３３３、ＬＥＤ点灯キー３３４と、機器状態を表示する、黒線制御状態表示３３５、赤線制御状態表示３３６、黒線２次側電圧表示３３７、赤線２次側電圧表示３３８、２次側電流表示３３９と、受信状態表示３４０と、確認キー３４１とを有している。
【００４７】
ここで、施工者コード欄３２６は、施工作業を行う者の識別番号であり、機器端末番号欄３２８は、施工入力画面３１で入力した遠隔端末番号３１９であり、契約番号３２６と計器ＮＯ３２７は、施工入力画面３１の契約番号３１２、計器ＮＯ３２２と同じ番号である。そして施工者コード欄３２６は事前にハンディターミナル１に登録されたコードが自動入力され、機器端末番号欄３２８、契約番号３２６、計器ＮＯ３２７は、施工入力画面３１（図３参照）で入力・表示されたものがそのまま自動的に入力される。
【００４８】
パスワード欄３２７には、個々のハンディターミナル１に割り当てられたパスワードを入力する。これを入力することにより、遠隔制御機器操作画面３２の操作をして、遠隔操作機能７２が使用可能になる。
【００４９】
選択／選択解除切換キー３３１は、操作を行う配電線を選択するためのキーであり、「選択」か「選択解除」の何れかをクリックすることにより、選択を切り換える。ここでは、黒線、赤線の何れかを選択する。投入／遮断切換キー３３２は、選択／選択解除切換キー３３１で選択した配電線について、投入と遮断を切り換えるためのキーであり、「投入」か「遮断」の何れかをクリックすることにより、切換を行う。
【００５０】
状態問合キー３３３は、機器状態やハンディターミナル１の電波受信状態を確認するためのキーである。ＬＥＤ点灯キー３３４は、遠隔送電制御機器のＬＥＤを点灯させるためのキーである。
【００５１】
黒線制御状態表示３３５と赤線制御状態表示３３６は、黒線と赤線の制御状態（投入または遮断）を示す表示である。黒線２次側電圧表示３３７と赤線２次側電圧表示３３８は、黒線と赤線の２次側（負荷側）の電圧であり、電気が遮断されている場合は、この表示が「無」となる。２次側電流３３６は負荷側の電流であり、電気が遮断されている場合は、この数字が０［Ａ］になる。
【００５２】
受信状態３３６は、ハンディターミナル１の電波の受信状態を表す表示である。確認キー３４１は、遠隔送電制御機器の遠隔操作を行った後にクリックをすると、操作内容が電力会社の遠隔送電管理サーバに送信され、遠隔送電制御機器の設置登録が行われる。
【００５３】
次に、この実施の形態のハンディターミナル１による顧客への電力の供給停止または停止解除業務の手順について説明する。顧客の電気料金の滞納などの理由により、電力の供給停止業務を行う場合において、電力量計に遠隔送電制御機器を取り付けた後に、電力会社が設置、管理するコンピュータシステムに、供給停止業務の報告をする。
【００５４】
ハンディターミナル１のスタート画面に契約番号３１２を入力し、一定の操作を行うと、処理部８は、記憶装置７に記憶されている契約番号３１２と照合する。そして、一致するものがある場合には、施工入力画面３１を開き、報告機能７１を使えるようにする。
【００５５】
施工入力画面３１の電源処置切換キー３１５で「計器切断」または「計器接続」を、施工状況切換キー３１６で「在宅施工」または「不在施工」を、配布状況切換キー３１７で「ドアポスト」、「集合ポスト」、または「手渡し」を、無停電端子切換キー３１８で「有」または「無」を、それぞれの状態に応じて選択する。このとき、ハンディターミナル１の記憶部７はこれを記憶する。
【００５６】
また、遠隔端末番号入力欄３１９には、設置した遠隔送電制御機器の機体番号を、操作キー４から入力し、記憶部７に記憶させる。
【００５７】
指示数入力キー３２５をクリックして、指示数入力画面を開き、現時点での顧客の電力量計の指示数を入力して記憶部７に記憶させた後、戻るキー３２３で、施工入力画面３１に戻る。
【００５８】
画面切換キー３２０をクリックして、遠隔操作機能８２に切り換える。このとき、施工入力画面３１に入力された情報は、供給停止業務の報告として通信部６から、ネットワークを介して、電力会社が設置、管理するコンピュータシステムに送信されて登録される。
【００５９】
パスワード欄３２７に所定のパスワードを入力して、遠隔操作機能８２を使用可能にする。処理部８は、記憶部７に記憶されているパスワードと照合し、正しければ、操作画面により、遠隔操作部８２を使用可能にする。
【００６０】
実際に遠隔送電制御機器を操作して、供給停止を行う場合には、選択／選択解除切換キー３３１と投入／遮断切換キー３３２を操作する。例えば、赤線を遮断するときは、選択／選択解除切換キー３３１で赤線を選択し、投入／遮断切換キー３３２で遮断を入力する。このとき、ハンディターミナル２の処理部８は、赤線を選択する処理と、赤線を遮断する処理を行い信号化して、通信部６はこの信号を遠隔送電制御機器に送信をして、電力量計の赤線について遮断を行う。黒線を遮断する場合も同様である。この場合、黒線制御状態表示３３５と赤線制御状態表示３３６、黒線２次側電圧表示３３７と赤線２次側電圧表示３３８は、それぞれ「遮断」となり、２次側電流３３６は０［Ａ］になる。
【００６１】
そして、確認キー３４１をクリックすると、通信部６から、ネットワークを介して遠隔操作内容が電力会社の遠隔送電管理サーバに送信され、遠隔送電制御機器の設置登録が行われる。
【００６２】
一方、供給停止状態を解除する場合には、これとは逆に、黒線、赤線についてそれぞれ投入を行う。例えば、赤線を投入するときは、選択／選択解除切換キー３３１で赤線を選択し、投入／遮断切換キー３３２で投入を入力する。このとき、ハンディターミナル２の処理部８は、赤線を選択する処理と、赤線を投入する処理を行い信号化して、通信部６はこの信号を遠隔送電制御機器に送信をして、電力量計の赤線について投入を行う。黒線を投入する場合も同様である。これにより、黒線制御状態表示３３５と赤線制御状態表示３３６、黒線２次側電圧表示３３７と赤線２次側電圧表示３３８は、それぞれ「投入」となり、電気が使用可能となる。
【００６３】
以上説明したように、この実施の形態のハンディターミナル１では、電力量計に取り付けた遠隔送電制御機器を遠隔操作して、顧客への電力の供給停止または停止解除業務に使用されるハンディターミナル１において、遠隔操作部８２により、顧客の電力量計に設置された遠隔送電制御機器の設置登録を遠隔操作し、報告処理部８１により、顧客への電力の供給停止または停止解除業務の結果を、電力会社が設置、管理するコンピュータシステムに対して登録する。
【００６４】
また、この実施の形態では、遠隔操作部８２により、顧客の電力量計への遠隔送電制御機器の設置登録を、電力会社が設置、管理するコンピュータシステムに対して行うと共に、遠隔送電制御機器を遠隔操作する。
【００６５】
従来、供給停止施工の結果登録をハンディターミナルで行い、遠隔送電制御機器の情報登録を携帯電話で行っており、２台（２種）の携帯情報端末が必要であったのに対して、この実施の形態では、１台（１種）のハンディターミナル１で、供給停止施工の結果登録および遠隔送電制御機器の情報登録を行うことが可能である。これにより、遠隔送電制御機器の登録や、施工状況の報告において、入力ミスや入力漏れを極力防ぐことができる。また、遠隔操作部８２および報告処理部８１の入力操作で重複する情報については１度の入力操作のみで済むため、作業現場での入力や機器の操作等の作業内容が減ることにより、作業時間を短縮することが可能である。またその結果として、特に施工する件数が多数ある場合に、件数を調整する必要が無くなるとともに、作業員の負担軽減による、作業の安全性の向上を図ることが可能となる。さらに、入力ミスや入力漏れが防止可能であることから、供給停止の解除を遠隔操作で行う場合におけるトラブル発生を抑えることができ、早期の供給再開が可能となる。
【００６６】
また、この実施の形態では、コンピュータシステムに、ハンディターミナル１の遠隔操作部８２で入力された遠隔送電制御機器の設置情報を、付設のデータベースで管理するホスト計算機と、ハンディターミナル１の報告処理部８１で入力された供給停止または停止解除業務結果情報を、付設のデータベースで管理する事業所総合ＯＡサーバ（遠隔送電管理システム）と、を備えている。
【００６７】
従来、電力会社のコンピュータシステムと、遠隔操作管理システム（事業所総合ＯＡサーバ）との独立した２系統の情報管理システムが必要であったのに対して、この実施の形態では、１系統のコンピュータシステム１に統合されている。これにより、情報管理システムの簡素化が図られ、管理に必要な作業や費用を削減できると共に、ホスト計算機に付設のデータベースと、事業所総合ＯＡサーバ（遠隔送電管理システム）に付設のデータベースとの間の登録データの食い違いを極力減らすことが可能である。
【００６８】
また、この実施の形態では、遠隔操作部８２は、遠隔送電制御機器の設置情報をコンピュータシステムに対して送信する前に、入力内容を確認する機能を有し、結果登録処理部２８は、供給停止または停止解除業務結果情報をコンピュータシステム３に対して送信する前に、入力内容を確認する機能を有している。これにより、入力ミスや入力漏れを極力防ぐことができる。
【００６９】
以上、この発明の実施の形態について説明したが、具体的な構成は、上記の実施の形態に限られるものではなく、この発明の要旨を逸脱しない範囲の設計の変更等があっても、この発明に含まれる。
【符号の説明】
【００７０】
１        ハンディターミナル
２        外装部
３        表示モニタ
４        操作キー
５        光インタフェース部
６        通信部
７        記憶部
８        処理部
８２      遠隔操作部
８１      報告処理部
３１      施工入力画面
３１１    顧客の住所表示
３１２    契約番号表示
３１３    施工中止キー
３１４    詳細情報表示キー
３１５    電源処置切換キー
３１６    施工状況切換キー
３１７    配布状況切換キー
３１８    無停電端子切換キー
３１９    遠隔端末番号入力欄
３２０    画面切換キー
３２１    供給方式表示
３２２    計器ＮＯ表示
３２３    戻るキー
３２４    領収書発行キー
３２５    指示数入力キー
３２      遠隔制御機器操作画面
３２６    施工者コード欄
３２７    パスワード欄
３２８    機器端末番号欄
３２９    契約番号欄
３３０    計器ＮＯ欄
３３１    選択／選択解除切換キー
３３２    投入／遮断切換キー
３３３    状態問合キー
３３４    ＬＥＤ点灯キー
３３５    黒線制御状態表示
３３６    赤線制御状態表示
３３７    黒線２次側電圧表示
３３８    赤線２次側電圧表示
３３９    ２次側電流表示
３４０    受信状態表示
３４１    確認キー
【図１】
2017077056.tif 000003
【図２】
2017077056.tif 000004
【図３】
2017077056.tif 000005
【図４】
2017077056.tif 000006